(57)【要約】【課題】コンパクトにインスリン製剤の投与キットを収納することができ、日常的にインスリンを投与しなければならない糖尿病患者にとって、携帯性に優れ、かつ、インスリン投与作業の際にも使い勝手の良い、プラスチック製の携帯用インスリンケースを提供すること。【解決手段】携帯用インスリンケース１は、プラスチック製の本体ケースと取り替え可能なインナートレイ３を備えており、そのインナートレイ３には、インスリン投与キットの被収納物の形状に合わせた複数の収納凹部６，６・・が設置されている。また、蓋部４の内側には、蓋部４を開いた状態であっても、被収納物が落ちないようにするための複数のフック形状留め具７が設置されている。さらに、本体部５には、区分けされた収納スペース８が設置されている。【選択図】図１
2018015451.tif 000002
【特許請求の範囲】
【請求項１】
インスリン投与キットを纏めて収納できる携帯用インスリンケースであって、
プラスチック製の本体ケースと取り替え可能なインナートレイとを備えており、
前記本体ケースは、蓋部と本体部がヒンジ構造により連結されており、
前記インナートレイには、前記インスリン投与キットの被収納物の形状に合わせた複数の収納凹部が設置されており、
前記蓋部内側には、前記蓋部を開いた状態であっても、被収納物が落ちないようにするための複数のフック形状留め具が設置されており、
前記本体部には、区分けされた収納スペースが設置されていることを特徴とする携帯用インスリンケース。
【請求項２】
前記インナートレイは、前記本体ケースの深さよりも高さが低く、貫通部を備えていることを特徴とする請求項１に記載の携帯用インスリンケース。
【請求項３】
前記インナートレイの注射器を収納するための収納凹部の長さは、注射針を取り外した状態の注射器を収納できる長さであることを特徴とする請求項１または請求項２に記載の携帯用インスリンケース。
【発明の詳細な説明】
【技術分野】
【０００１】
本発明は、インスリン製剤の投与キットを纏めて収納できるプラスチック製の軽量で強度ある携帯用インスリンケースに関する。さらに言えば、インスリン注射剤、採血器、血糖値測定器の種類や構成に併せてトレー構造によりカスタマイズでき、しかも、インスリン投与時に発生するゴミを一般ゴミ、医療ゴミ等として分別して携帯することができる携帯用インスリンケースに関する。
【背景技術】
【０００２】
糖尿病患者は、定期的にインスリン製剤を注射器等で投与することで血糖値の調整を行う必要がある。糖尿病患者も社会の第一線で活躍されている方も多く、家庭内等にずっと滞在しているわけではないので、外出先でインスリン製剤を投与する必要もあり、かかる場合には、インスリン製剤の投与キット一式を常に持ち歩いていなければならない。インスリン製剤投与キットに含まれるアイテムは、インスリン製剤カートリッジ、血糖値測定器、血糖値測定器専用センサー、万年筆型注射器、注射針、採血器、センサーケース（採血用針、センサー等を収納）、消毒綿、これ以外にも、投与した時間、血糖値等を記録してくための手帳等がある。さらに医療ゴミ（注射針等）、普通のゴミ等を収納するスペースも必要である。
【０００３】
インスリン製剤には、食事の直前に注射するタイプ、食事の３０分前に注射するタイプ、起床後や就寝前に注射するタイプ等、様々な種類がある。これは、血糖値が時々刻々と変化しているからであり、その変化に合わせてインスリン製剤の作用を生かす最適の方法を採用する必要があるためである。すなわち、糖尿病患者の血糖値の変化と、インスリン製剤の投与の効果を合致させるため、糖尿病患者が投与するインスリン製剤は、投与するタイミングがとても大切であると言える。すなわち、投与のタイミングを間違えることなく、しかも、多くのアイテムを整理して収納できるようにして、作業時においても使い勝手が良くなるように収納されていることが重要であると言える。
【０００４】
特許文献１には、糖尿病患者がインスリン投与時に必要な種々のアイテムを持ち運びできるように小さく一つに纏めてあり、内側にそれぞれのアイテムが、バラバラにならないように固定、収納できるようにしたポーチバックが開示されている。当該ポーチバックは、全体を閉じたり、開いたりできる上、収納部自体が取り替え可能になっており、中に入れるアイテムに変更があれば、収納部自体の配置を変更できるので、日常の管理、インスリン投与作業がし易い。また、当該ポーチバックは、閉じた状態では中が見えない状態になり、開いた状態では平らな状態、内側全体が見渡せる状態になり、平らなところに開いた状態で置いて必要な物を取り出して作業ができるようになっており、さらに、外から他人が見て中身を想像し難くなっている。
【先行技術文献】
【特許文献】
【０００５】
【特許文献１】特開２００８−６７９１０号公報
【発明の概要】
【発明が解決しようとする課題】
【０００６】
特許文献１に係るポーチバックは、確かに、種々のアイテムを持ち運びできるように小さく一つに纏めてあり、それぞれのアイテムが、バラバラにならないように固定、収納できるようになっている。しかしながら、外出先でインスリンを投与する場合には、通常は人目につかないトイレの中でインスリン投与作業を行うことになるのであるが、かかる狭い場所での作業性が考慮されているとは言えないし、氷点下になるような厳冬期や車の中に放置した場合等、温度変化によりインスリン製剤の成分が変性して効果が得られなくなるという危険性に対応できるものではない。さらに、インスリン投与作業中の不可抗力による衝撃が加わることにより、注射器にひびが入ったり、インスリン製剤が漏れたりすることに対応できない。
【０００７】
本発明の目的は、コンパクトにインスリン製剤の投与キットを収納することができ、日常的にインスリンを投与しなければならない糖尿病患者にとって、携帯性に優れ、かつ、インスリン投与作業の際にも使い勝手の良い、プラスチック製の携帯用インスリンケースを提供することにある。
【課題を解決するための手段】
【０００８】
上記課題を解決するために、請求項１に記載された発明は、インスリン投与キットを纏めて収納できる携帯用インスリンケースであって、プラスチック製の本体ケースと取り替え可能なインナートレイとを備えており、前記本体ケースは、蓋部と本体部がヒンジ構造により連結されており、前記インナートレイには、前記インスリン投与キットの被収納物の形状に合わせた複数の収納凹部が設置されており、前記蓋部内側には、前記蓋部を開いた状態であっても、被収納物が落ちないようにするための複数のフック形状留め具が設置されており、前記本体部には、区分けされた収納スペースが設置されていることを特徴とするものである。
【０００９】
請求項２に記載された発明は、請求項１に記載された発明において、前記インナートレイは、前記本体ケースの深さよりも高さが低く、貫通部を備えている携帯用インスリンケースであることを特徴とするものである。
【００１０】
請求項３に記載された発明は、請求項１または請求項２に記載された発明において、前記インナートレイの注射器を収納するための収納凹部の長さは、注射針を取り外した状態の注射器を収納できる長さであることを特徴とするものである。
【発明の効果】
【００１１】
請求項１に記載の携帯用インスリンケースは、プラスチック製の本体ケースと取り替え可能なインナートレイを備えている。本体ケースは、蓋部と本体部がヒンジ構造により連結されている。インナートレイには、インスリン投与キットの被収納物の形状に合わせた複数の収納凹部が設置されているので、血糖値測定器、万年筆型注射器、採取器、センサーケース、消毒綿、手帳等のインスリン投与キットの種々のアイテムを整理して収納することができる。そして、蓋部内側には、蓋部を開いた状態であっても、被収納物が落ちないようにするための複数のフック形状留め具が設置されているので、インスリン摂取時間の記録、測定した血糖値の記録を行うための手帳を収納することができる。さらに、前記本体部には、区分けされた収納スペースが設置されているので、インスリン投与時に発生するゴミを収納できる。しかも医療ゴミと通常ゴミを分別して携帯することができる。
【００１２】
請求項２に記載の携帯用インスリンケースは、インナートレイは、本体ケースの深さよりも高さが低く、貫通部を備えている。たとえば、貫通部の形状が円形であるとき、円柱状のセンサーケース（採血用針、センサー等を収納）を貫通部に貫通させて設置すると、インナートレイ自体を上下にスライドさせることができるようになる。インナートレイを上下にスライドさせることによって生じる空間に、夏の暑いときであれば、インナートレイを下に移動させて、上部に生じた空間に保冷剤を入れることができる。一方、冬の寒いとき（氷点下）であれば、インナートレイを上に移動させて、下部に生じた空間に保温材を入れることができる。インスリン製剤は、高温（３７℃から４０℃）になると変性して、期待する効果が得られなくなり、糖尿病患者にとって危険である。そのため、たとえば、夏の期間における旅行等、長時間持ち歩く際には、保冷剤等を入れることにより、高温になるのを防ぐことができる。一方、厳冬期において屋外が氷点下になったとしても、下部に生じた空間に保温材を入れることにより凍結による変性を防ぐことができる。
【００１３】
請求項３に記載の携帯用インスリンケースは、インナートレイの注射器を収納するための収納凹部の長さは、注射針を取り外した状態の注射器を収納できる長さであるため、注射針を取り外した状態でないと収納することができないようになっているので、一度使用した注射針を誤って再度使用することがなくなる。結果として、カートリッジ内部の気泡の発生を押さえ、インスリン漏れを防ぎ、カートリッジ内の汚染を防止することができる。
【図面の簡単な説明】
【００１４】
【図１】本発明に係る携帯用インスリンケースの全体斜視図である。
【図２】携帯用インスリンケースの収納スペースの上から見た拡大図である。
【図３】インナートレイの動きを示す説明図である。
【発明を実施するための形態】
【００１５】
＜携帯用インスリンケースの構造＞
以下、本発明に係る携帯用インスリンケース１の一実施形態について、図１〜図３に基づいて詳細に説明する。図１は、本発明に係る携帯用インスリンケース１の全体斜視図である。
【００１６】
携帯用インスリンケース１は、糖尿病患者がインスリン製剤を日々の生活の様々な場面に応じて投与するために必要な、血糖値測定器、注射器、採取器、センサーケース（円柱形状：フィルムケースのような形状）、消毒綿、（血糖値の）測定値や投与の状況を記録するための手帳等（すなわち、インスリン投与キット）を使い勝手良く収納するためのケースである。かかる携帯用インスリンケース１は、実際にインスリン製剤を投与する際、インスリン注射を打ったりする際の作業性、持ち運び性、ケース強度等が良好なものとなるように考慮されている。当該携帯用インスリンケース１の材質としては、硬質プラスチック等（比重１〜１．３）が採用されている。
【００１７】
図１に記載したように、本発明にかかる携帯用インスリンケース１は、インスリン投与キットを纏めて収納できる携帯用インスリンケース１であり、プラスチック製の本体ケース２と取り替え可能なインナートレイ３を備えている。本発明に係るインナートレイ３は取り換え可能であることに特徴があり、図１に記載したように、インスリン投与キットのアイテムの形状やサイズ等に合わせて、適宜取り換えることができるようになっている。
【００１８】
本体ケース２は、蓋部４と本体部５がヒンジ構造により連結されており、インナートレイ３には、被収納物（インスリン投与キット）の形状に合わせた複数の収納凹部６が設置されている。蓋部４の内側には、蓋部４を開いて、本体ケース２に対して略垂直に立てた状態であっても、被収納物が落ちないようにするための複数のフック形状留め具７が設置されており、さらに、本体部５には、区分けされた収納スペース８が設置されている。
【００１９】
インナートレイ３は、本体ケース２の深さよりも高さが低く、しかも、貫通部９を備えている（図１においては、円柱形状のセンサーケースが貫通部９を貫通して設置されている）。本実施形態においては、貫通部９の形状は円形であるが、円形以外の様々な形状にすることもできる。さらに、インナートレイ３の注射器を収納するための収納凹部６の長さは、注射器が注射針を取り外した状態で丁度収納できる長さである。
【００２０】
図２は、本発明に係る携帯用インスリンケース１の収納スペース８の上から見た拡大図である。糖尿病患者は、たとえ、日常生活が忙しい人であっても、必ず決められた時間に決められた量および種類のインスリン製剤の投与を確実に行わなくてはならない。糖尿病患者にとっては生命にかかわることであり、最重要課題であると言える。そのため、携帯用インスリンケース１は、様々な工夫がなされている。
【００２１】
たとえば、図２に記載したように、携帯用インスリンケース１の収納スペース８の一部に設置された薬保管スペースは、日毎、かつ、朝、昼、夜等の時間毎に区分けされている（図２の拡大図参照）。すなわち、インスリン製剤投与の状況を一目で分かるようにするために（要するに、投薬日時管理用）、一週間分の朝、昼、夜の決められた時間に決められた量および種類のインスリン製剤を投与するために必要な薬品等を、日毎、かつ、朝、昼、夜等の時間毎に区分けして収納することができるようになっている。なお、１週間単位にされているのは、通常の人は、１週間単位で、区切りをつけることが多く、１週間単位で物事の進捗状況を整理し、計画を立案することが多いためである。収納スペース８は、医療ゴミ（使用済みの注射針、センサー等）についても、図２の拡大図（医療ゴミ用分別スペース）に記載したように、分別して収納できるように仕切りを備えている。
【００２２】
図３は、インナートレイ３の動きを示す説明図である。携帯用インスリンケース１の特徴の一つとして、インナートレイ３の高さは、本体ケース２の深さよりも高さが低く、しかも、貫通部９を備えていることが挙げられる。図３に記載したように、インナートレイ３を本体ケース２に設置後、貫通部９に円柱形状のセンサーケース等を貫通させて設置する。そうすると、インナートレイ３は、貫通部９に設置したセンサーケース等を介して上下させることができる。要するに、本体ケース２の中で上下にスライドすることができるようになる。
【００２３】
＜携帯用インスリンケースの効果＞
携帯用インスリンケース１は、プラスチック製の本体ケース２と取り替え可能なインナートレイ３を備えている。本体ケース２は、蓋部４と本体部５がヒンジ構造により連結されており、インナートレイ３には、インスリン投与キットの被収納物の形状に合わせた複数の収納凹部６が設置されているので、血糖値測定器、万年筆型注射器、採取器、センサーケース、消毒綿、手帳等のインスリン投与キットの種々のアイテムを整理して収納することができる。インナートレイ３は、インスリン投与キットのアイテムの形状やサイズ等に合わせて、適宜取り換えることができるようになっている。したがって、個人の注射器、採血器等に対する好みに合わせて自由にカスタマイズすることができる。
【００２４】
そして、蓋部４内側には、図１に記載したように蓋部４を開いた状態であっても、被収納物が落ちないようにするための複数のフック形状留め具７が設置されているので、インスリン投与時間の記録、測定した血糖値の記録等を行うための手帳を収納することができる。さらに、本体部５には、区分けされた収納スペース８が設置されているので、インスリン投与時に発生するゴミを収納できる。しかも医療ゴミと通常ゴミを分別して携帯することができる。
【００２５】
インナートレイ３は、本体ケース２の深さよりも高さが低く、貫通部９を備えている。たとえば、貫通部９の形状が円形であるとき、円柱状のセンサーケース（採血用針、センサー等を収納）を貫通部９に貫通させて設置すると、インナートレイ３自体を上下にスライドさせることができるようになる。インナートレイ３を上下にスライドさせることによって生じる空間に、夏の暑い時であれば、インナートレイ３を下に移動させて、上部に生じた空間に保冷剤を入れることができる。
【００２６】
一方、冬の寒いとき（氷点下）であれば、インナートレイ３を上に移動させて、下部に生じた空間に保温材を入れることができる。インスリン製剤は、高温（３７℃から４０℃）になると変性して、期待する効果が得られなくなり、糖尿病患者にとって危険である。そのため、たとえば、夏の期間における旅行等、長時間持ち歩く際に、保冷剤等を入れることにより、高温になるのを防ぐことができる。一方、厳冬期において屋外が氷点下になったとしても、下部に生じた空間に保温材を入れることにより凍結による変性を防ぐことができる。
【００２７】
要するに、インスリン製剤は３７℃〜４０℃程度の高温になると品質に変化が起こりやすいと言われており、糖尿病患者が、インスリン投与キットを屋外に持ち出さなければならない場合や、閉め切った車の中等に保管しなければならない場合に、保管方法に工夫をする必要がある。携帯用インスリンケース１であれば、インナートレイ３を下に移動させて、その際生じた空間に、凍結した保冷材をタオルに包み込み、インスリン製剤を保冷バッグで保管することができる。携帯用インスリンケース１は、そのような方法であれば、３５０ｇの凍結保冷材を使用したときに、約８時間にわたり３０℃以内で保管することができるように設計されている。
【００２８】
一方、インスリン製剤が凍結するとインスリンカートリッジが破損することがあるし、浮遊物が生じることがあるが、このことはインスリンの成分が変性し、期待された効果が得られなくなり糖尿病患者にとっては危険である。携帯用インスリンケース１であれば、インナートレイ３を上に移動させて、その際生じた空間に、氷点下にならないように、たとえば、使い捨てのカイロ等の温度を氷点下にしないようなものを入れることにより保温することができる。
【００２９】
インナートレイ３の注射器を収納するための収納凹部６の長さは、注射針を取り外した状態の注射器を収納できる長さ（すなわち、注射針を取り付けた状態の注射器を収納できない長さ）であるため、注射針を取り外した状態でないと収納することはできないようになっている（注射針は、医療ゴミ用の収納スペース８にインスリン製剤を投与毎に収納される）。したがって、一度使用した注射針を誤って再度使用することがなくなる。注射針を取り外した状態できちんと収納されることで、インスリン製剤が入ったカートリッジ内部の気泡の発生を押さえ、注射針からのインスリン漏れを防ぎ、結果として、カートリッジ内の汚染を防止することができる。
【００３０】
また、携帯用インスリンケース１は、インスリン製剤の投与キットをまとめて収納できるプラスチック製の強度あるケースであり、インナートレイ３を取り換えることによりインスリン注射剤、採血器、血統測定器の種類や構成に併せてインナートレイ３の構造によりカスタマイズできる。
【００３１】
収納スペース８の一部に設置された薬保管スペースは、日毎、かつ、朝、昼、夜等の時間毎に区分けされており（図２の拡大図参照）、インスリン製剤投与の状況を一目で分かるようにするために（要するに、投薬日時管理用）、一週間分の朝、昼、夜の決められた時間に決められた量および種類のインスリン製剤を投与するときに必要な薬品等を日毎、かつ、朝、昼、夜等の時間毎に区分けして収納することができるようになっている。そして、収納スペース８は、インスリン投与時の医療ゴミを分別し携帯できる。さらに、注射器、採血器、測定器をＢ５サイズにセットして携帯可能なケースであり、プラスチック製で丈夫で軽量を実現でき、交換針、ノート、消毒液も一緒に収納して、しかも、頭の中の整理整頓等も考慮して使い勝手の良いように、１週間使用分単位で収納することができるものである。
【００３２】
さらに、携帯用インスリンケース１は、糖尿病患者自身が日常の管理をするために、これまでに述べてきたように様々な工夫がされていることは勿論であるが、糖尿病患者の家族等のサポートする側の人にとっても管理し易くなっており、たとえば、病院等で初めて支給された際でも、糖尿病患者や看護師等にとっても管理し易いものになっている。
【００３３】
＜携帯用インスリンケースの変更例＞
本発明に係る携帯用インスリンケースは、上記した各実施形態の態様に何ら限定されるものではなく、本体ケース、インナートレイ、蓋部、本体部、収納凹部、フック形状留め具、収納スペース、貫通部等の構成を、本発明の趣旨を逸脱しない範囲で、必要に応じて適宜変更することができる。たとえば、携帯用インスリンケースに手提げ用の「取っ手」を設置することもできるし、手提げ用の「取っ手」の代わりに、肩から掛けられるようなベルトを設置することもできる。
【産業上の利用可能性】
【００３４】
本発明に係る携帯用インスリンケースは、上記の如く優れた効果を奏するものであるので、糖尿病患者が、定期的にインスリン製剤を注射器等で投与することで血糖値の調整等を行うために必要なインスリン投与キットを纏めて持ち運ぶための携帯用のケースとして好適に用いることができる。
【符号の説明】
【００３５】
１・・携帯用インスリンケース
２・・本体ケース
３・・インナートレイ
４・・蓋部
５・・本体部
６・・収納凹部
７・・フック形状留め具
８・・収納スペース
９・・貫通部
【図１】
2018015451.tif 000003
【図２】
2018015451.tif 000004
【図３】
2018015451.tif 000005